(57)【要約】      （修正有）【課題】型枠パネルに対する長さの調整や、接続してセパレータ軸を締付けて固定する場合に、効率的に作業ができるセパレータ及びセパレータ接続固定金具の提供。【解決手段】ブロック接続金具本体１の中央部上に、雌ネジ孔５を設けて固定、固定された雌ネジ孔５に締め込みボルト軸６の雄ネジを挿し込んで雌ネジ孔５に軽く螺合して設置し、大径雌ネジの貫通孔３の一方から、調整セパレータ軸１０の一方を挿し通して貫通して、調整セパレータ軸１０の一歩先端の雄ネジ１３に、ピーコン軸２０を取り付けて設置して、案下セパレータ軸１１を、接続金具本体に固定し、案下セパレータ軸１１の一方端の雄ネジ２１に、ピーコン軸２０を取り付けて固定する。【選択図】図１
2018178677.tif 000002
【特許請求の範囲】
【請求項１】
セパレータ接続金具本体は、大径雌ネジ貫通孔の長ナットと、小径雌ネジ貫通孔の長ナットの２個の雌ネジ貫通孔の長ナットの側面同士を上下に合わせて、一つのブロック金具本体に固定して、下の小径雌ネジ貫通孔の長ナットには、案下セパレータ軸の一方雄ネジを小径雌ネジ貫通孔の長ナットに挿し込んで螺合して固定、上の大径雌ネジ貫通孔の長ナットボックスの中央部の上には、縦向き雌ネジ孔を形成して固定、形成された縦向き雌ネジ孔に締め込みボルト軸の雄ネジを軽く螺合して設置、大径雌ネジの貫通孔の長ナットには、調整セパレータ軸を挿し通して貫通した処で、縦向き雌ネジ孔に設置されてある締め込みボルト軸の六角孔に、六角軸Ｌ型ハンドルを挿し込んで右回転して軽く締付けて仮の設置した処で、型枠パネルに取り付ける準備完了であり、
セパレータ軸の接続固定については、先ず先に、調整セパレータ軸と案下セパレータ軸のそれぞれの一方端の雄ネジに、ピーコン軸の雌ネジを捩じ込んで螺合して固定した処で、接続に付いて最初は、接続する手前側の型枠パネルに穴開けて此の穴に、案下セパレータ軸のピーコン軸の雄ネジを挿し込んで取り付けて固定、次は、接続する一方先の型枠パネルに穴開けて此の穴に調整セパレータ軸の一方ピーコン軸の雄ネジを挿し込んで取り付けて固定された処で、大径雌ネジの貫通孔入口に戻って、調整セパレータ軸の垂水が水平に成るところまで手で引っ張って調整して、調整セパレータ軸が水平になった処で、最後に、締め込みボルト軸の上六角孔に、六角軸Ｌ型ハンドルを挿し込んで右回転して調整セパレータ軸を締め込んで固定する事によって、全体の型枠が平均に締付固定されるところを特徴とするところのセパレータ軸接続締付固定金具、
【請求項２】
前記、本発明に於いては、案下セパレータ軸は重要な役割であり、その為には、案下セパレータ軸の側面を出来る限り、調整セパレータ軸の側面の際に設置された方が、有効的に活躍されるのであり、此の様にする為に、案下セパレータ軸の側面を、大径雌ネジの貫通孔ボックスの底面に、直に、案下セパレータ軸の側面を機械電溶で接着して固定した事で、案下セパレータ軸の働きが、最高に活躍されて、調整セパレータ軸の側面と、案下セパレータ軸の側面との間隔幅が狭くなった事で、強度的にも強力に安定されて、案下セパレータ軸の長さも、平均に整った製品であり、重量も軽く成った事で、生産コストも割安く仕上がる為に、消費者の皆様には、商品を安価で販売されるから安定された商品の価値観であり、前記、調整セパレータ軸と機械電溶された案下セパレータ軸を使って、前記に説明された内容で、案下セパレータ軸を型枠パネルに取り付けて設置して、型枠パネルの締付固定に付いては、型枠パネルの外部枠に、縦パイプを取り付けて設置して、其の上から横パイプで、縦パイプを押さえて締付けて固定するところを特徴とするところのセパレータ軸接続締付固定金具である。
【発明の詳細な説明】
【技術分野】
【０００１】  本発明は、建設現場で構造物を組みたてて固定する時に、型枠パネルで其の構造物の組立を行って、型枠パネルと型枠パネルとの間をセパレータ軸で間隔幅と形を決めて、最後に、型枠パネルの外部を金属パイプ類で縦横に硬く締付固定された後に、型枠パネルと型枠パネルの間にコンクリートを流し込んで、日数が経ち、コンクリとに強度が出たら型枠パネルを解体して構造物を作り上げる事に重要な役割を示す役目の物である。【０００２】  従来のセパレータ軸接続金具は、幾種類かに分かれて、それぞれに違った種類の特徴を持ったセパレータ軸の接続金具が結構あります。【０００３】  然しながら、セパレータ軸を接続する事に於いては、どのセパレータ軸の接続金具もセパレータ軸を接続する事は、同じ方向であるが、例えば、最初に、セパレータ軸の接続金具に於いては、接続する２本のセパレータ軸を手に取って、セパレータ接続金具の貫通孔内にほぼ同時の様にして孔内に挿し通して貫通して、セパレータ軸の総長さをスケールで測り、総長さが所望の長さに位置された処で締付ボルトを右回転して２本のセパレータ軸を同時に締付けて固定する事が、一般的に数多い締付固定方法である。【０００４】  然し、前記の締付固定方法では、両方のセパレータ軸の端部から端部の両端部の長さを測る間の手間時間が余計に掛かり過ぎる。【０００５】  尚、前記の様な測り方で、セパレータ軸を接続固定して居ては、何時も２本のセパレータ軸を傍に用意して置かなければ何事が起きても直ぐにセパレータ軸を接続して、工事の期日内に合わせる事が出来ない。【０００６】従来のセパレータ軸の接続金具は、殆どの接続金具が、セパレータ軸を接続する時は、セパレータ軸の接続金具の一つの穴の中に、２本のセパレータ軸を同時に入れて２本のセパレータ軸を同時に前後にスライドして、セパレータ軸の端部から端部の両端部の長さを測り、所望の長さに位置した処で２本のセパレータ軸の間に軸ピンを押し込んで、ボルトを右回転してセパレータ軸を締付固定する。【０００７】  然し、前記の従来の固定方法は、あまり良い接続固定方法とは、言い難いのであり、その内容の意味については、セパレータ軸の接続間隔の長さが短い場合は簡単ですが、２本のセパレータ軸を一つの長さに合わせてセパレータ軸の長さを、違い互いの方向にスライドして引き伸ばして、２本のセパレータ軸の端部から端部の両端部の長さを正確の長さに合わせて締付けて固定する事は中々難しい事である。
【発明の概要】
【発明が解決しようとする課題】
【０００８】  従来のセパレータ軸の接続金具本体は、セパレータ軸を挿し通す開口部穴が一つだけであり、その中に接続する２本のセパレータ軸を同時に挿し通して、セパレータ軸の長さを合わせる時は、２本のセパレータ軸を同時に前後の違い互い方向にスライドして長さを測り、所望の長さに位置された処で、２本のセパレータ軸の間に、ボルト軸ピンを割り込んで六角ナットを右回転すると、２本のセパレータ軸の間にボルトピンが奥に押し込まれて、セパレータ軸がボルトピンの軸の両側軸面に押されてセパレータ軸が両側の鉄壁に押されて締付固定されていたが、２本のセパレータ軸が同時に固定されるまでの間の時間が余りにも長く掛かり過ぎる。【０００９】  本発明では、セパレータ軸の接続金具本体（１）に、只従来のセパレータ接続金具の様に、セパレータ接続金具に、２本のセパレータ軸の総長さをメジャで測って長さを合わせて固定するだけで済む事であれば、本発明のセパレータ軸の接続金具は、案下セパレータ軸をつかって接続すると、従来のセパレータ軸の接続金具よりも、本発明の接続金具の方が、３分の２倍程度セパレータ軸を接続する時間が短縮されて完了する。理由は、従来の接続金具には、１本のセパレータ軸だけでは、仮止めが不可能の為である。【００１０】  本発明のセパレータ軸の接続固定に付いては、従来のセパレータ軸の接続工法は、別にして、全てが、本発明の新規工法の接続方法で説明する。
小径雌ネジの貫通孔（４）に、案下セパレータ軸（１１）が案下セパレータ軸の役目として常時（１）大径雌ネジ貫通孔ボックス本体の際に固定されてある（１１Ｘ）案下セパレータ軸は、必ず、セパレータ軸が接続される最初の段階の時に、接続する型枠パネル側に設置して固定される。【００１１】  次は、親調整セパレータ軸が、現場の状況に応じて調整セパレータ軸の長を、現地の現場の状況に応じた長さのセパレータ軸に合わせて、（１）接続金具本体の（３）大径雌ネジ貫通孔内に挿し通して貫通して設置されてある。【００１２】  セパレータ軸の接続方法に付いては、接続する手前の型枠パネルに穴あけて、案下セパレータ軸（１１）の一方雄ネジ（１３）にピーコン軸（２０）を取り付け固定して、ピーコン軸（２０）の（２３）雄ネジを、型枠パネルの孔に挿し込んで裏側から締付金をピーコン軸（２０）の（２３）に捩じ込んでピーコン軸が固定。【００１３】  大径雌ネジ貫通孔（１）に挿し通して貫通した調整セパレータ軸の一方雄ネジ（１３）にピーコン軸（２０）を取り付けて雄ネジ（１３）に、ピーコン軸（２０）の（２１）雌ねじ孔を螺合して固定、固定されたピーコン軸（２０）の（２３）雄ネジを、接続する型枠パネルの一方先パネルに穴開けて此の穴に、ピーコン軸（２０）の（２３）雄ネジを挿し込んで、型枠パネルの裏側から、締付金具をピーコン軸の雄ネジに捩じ込んで螺合してピーコン軸が固定。【００１４】  以上で案下セパレータ軸から調整セパレータ軸（１０）の関係が連結された処で、最後に大径雌ネジ貫通穴の挿し込み口に戻って、調整セパレータ軸の垂水を引っ張って、水平にした処で、六角軸ハンドルの挿し込み孔（７）に六角軸Ｌ型ハンドル（８）を突き挿して右回転して締付けて固定するだけで、此の場所に関係されるセパレータ軸の全部が平均に締付けられて固定される。【００１５】  前記のセパレータ軸の接続固定方法で、セパレータ軸が容易に接続されて確実の寸法にセパレータ軸の長さを測らなくて、短時間で正確の長さの寸法に自動化されて、固定される処が此の発明の特徴であり、その為に、セパレータ軸を接続する事に於いても、全く、接続するセパレータ軸の寸法を測る必要が無くて、全てが目測の操作である。【００１６】  親セパレータ軸（１０）の端部を目的位置に引き伸ばす事にしても、従来のセパレータ軸の接続固定方法とは、全く違った方法の接続固定であり、本発明独自のセパレータ軸の接続固定方法の行い方で、セパレータ軸を接続して締め付けて確実の長さに固定する事が、僅かの時間で２本の長いセパレータ軸が、確実の寸法で正確の長さに接続固定する事が、此の発明の優れた工法では、僅かの時間でも、２本の長いセパレータ軸を使って、正規の一本の長さに、２本のセパレータ軸を接続固定する事が出来るが、普通では、なかなか難しい事であり、本発明の工法では、案外簡単である。【００１７】  従来のセパレータ軸の接続方法に付いては、ほぼ同じ長さ程度のセパレータ軸２本が必要であり、２本のセパレータ軸の側面同士をセパレータ接続金具本体の中に挿し通してセパレータ軸の接続金具本体の中で、２本のセパレータ軸を前後にスライドして、２本のセパレータ軸の総長さを測り、所望の長さに位置され���処で、２本のセパレータ軸の間に軸ピンを割り込んで２本のセパレータ軸を同時に締付固定されていた。然し、２本のセパレータ軸の接続中にセパレータ軸の端部から端部の両端部の長さを測って締付けて固定する事は、手間が掛かり過ぎる程、接続時間が掛かってある。
【課題を解決するための手段】
【００１８】  本発明のセパレータ軸の接続固定金具の構造については、（１０）親調整セパレータ軸に付いては、従来通りにセパレータ軸の両端部に（１３）雄ネジが固定された状態であっても使い物になるが、仕事の能率上の為には、（１１Ｘ）案下セパレータ軸と同じ様にして、セパレータ軸の働き方向が一方方向であるから、（１０）親セパレータ軸の一方には、（１３）雄ネジは不要であり、その方が仕事も先に進行される。【００１９】  小セパレータ軸（１１Ｘ）は、案下セパレータ軸であり、（１）接続金具本体には、（１１Ｘ）案下セパレータ軸を（１）六角形雌ネジ貫通孔ボックスの下面に（２Ｘ）の様にして（１１Ｘ）案下セパレータ軸を電気溶接で固定して、常時取り外れない様に固定して置く、但し、現場の状況に応じては、（１１Ｘ）案下セパレータ軸の長さを変更する様な事がある為に、（１１）案下セパレータ軸と、（２）六角形小径雌ネジの貫通孔ボックスが、別にも設けられて固定されてある。
【発明の効果】
【００２０】本発明のセパレータ軸の接続固定金具本体は、（１）接続金具本体の下底面に、（２）小径雌ネジの貫通孔ボックスが固定された事で、（１１）案下セパレータ軸が、常時に小径雌ネジボックスに接続固定されてあるから、セパレータ軸の接続時に於いては、何時どんな時であっても、案下セパレータ軸が利用されるから、型枠の建込現場に於いてセパレータ軸を接続する時は、案下セパレータ軸が直ぐに活躍される。【００２１】案下セパレータ軸の使い方に付いては、セパレータ軸（１１）の突先（１３）雄ネジにピーコン軸（２０）の雌ネジ孔（２１）に捩じ込んで螺合して固定、次に、接続する型枠パネルの一方手前の型枠パネルに穴開けて此の穴に、（２０）ピーコン軸の雄ネジ（２３）を挿し込んで型枠パネルの裏側のピーコン軸の雄ネジにピーコン止めの金具を捩じ込んでピーコン軸を固定する。次は、（１）六角形大径雌ネジの貫通孔内に（１０）親調整セパレータ軸の一方を挿し通して、（１）六角形大径雌ネジの貫通孔の中央上の（５）縦雌ネジ孔に（６）締め込みボルト軸の雄ネジを軽く螺合して設置した処で、親セパレータ軸（１０）の一方端雄ネジ（１３）にピーコン軸（２０）の（２１）雌ネジ孔を捩じ込んで螺合して固定した処で、次は、接続する型枠パネルの一方先の型枠パネルに穴開けて此の穴に、ピーコン軸（２０）の雄ネジ（２３）を挿し込んで型枠パネルの裏側からピーコン軸止め金具をピーコン軸の雄ネジに螺合して固定した処で、（１）六角形の大径貫通雌ネジ孔の挿し込み口に回って（１０）調整セパレータ軸の残りを逆方向に手で引っ張って調整セパレータ軸のタワミガ水平に張り具合の加減が終了されたら最後に（７）六角軸ハンドルの挿し込み孔に、（８）六角軸Ｌ型ハンドルを挿し込んで右回転して硬く締付けて固定する。【００２２】  前記、締付けて固定する内容の中で（１１Ｘ）案下セパレータ軸の長さが短くてセパレータ軸の間隔と幅などが分かりにくい場合は、案下セパレータ軸の長いものに取り換えて使用する事も可能ですが、殆ど、その様にする必要は無いと思いますが、現場の状況に応じては、案下セパレータ軸の長さを変更する事もある。【００２３】  セパレータ軸の接続金具を大量に私用する時は、（１）接続金具本体に、（１１Ｘ）セパレータ軸を（２Ｘ）で固定された案下付き金具の方が、セパレータ軸の案下軸の長さも一定されて品揃いで固定されてあるから、型枠パネルに対する長さの合わせ方や、接続してセパレータ軸を締付けて固定する事に於かれても、大体作業の流れが一定されてあるから、其れだけに仕事の流れが早く終了する。
【図面の簡単な説明】
【００２４】
【図１】は、接続金具本体の１部断面図であり、全体が側面図である。
【図２】は、接続金具ブロック本体の断面図である。
【図３】は、普通親セパレータ軸の側面図である。
【図４】は、接続金具のブロック金具本体の正面断面図である。
【図５】は、案下セパレータ軸の側面図である。
【図６】は、新規改善セパレータ接続金具本体に組見合わせたところの１部断面図であり、全体が側面図である。
【図７】は、ピーコン軸の側面図である。
【図８】は、接続金具本体の切断面図である。
【図９】は、締め込み軸の断面図である。
【図１０】は、締め込み軸の平面図である。
【図１１】は、締め込み軸を回す六角Ｌ型ハンドルの側面図である。
【図１２】は、一方方向セパレータ軸の側面図である。
【発明を実施するための形態】
【００２５】  本発明の目的を達する為に、ブロック接続金具本体（１）の中央部上に、雌ネジ孔（５）を設けて固定、固定された雌ネジ孔（５）に締め込みボルト軸（６）の雄ネジを挿し込んで雌ネジ孔（５）に軽く螺合して設置した処で、（１）大径雌ネジの貫通孔の一方から、（１０）調整セパレータ軸の一方を挿し通して貫通して、親セパレータ軸の一歩先端の雄ネジ（１３）に、ピーコン軸（２０）を取り付けて設置して、次は、小セパレータ軸の案下セパレータ軸（１１Ｘ）は、既に接続金具本体に固定されてあるから、案下セパレータ軸の一方端の雄ネジ（１３）に、ピーコン軸（２０）を取り付けて固定した処で準備完了である。
【実施例】
【００２６】  以下、本発明の実施の形態の添付図面を参照して説明する。
〔図１〕は、本発明のセパレータ軸が、ブロック接続金具本体に固定状態で接続されている処の全体の側面図である。
ブロック金具本体（１）の下（２）小径雌ネジの貫通孔（４）に案下セパレータ軸が左向きに螺合してストッパ（１５）で固定。
ブロック金具本体（１）の（３）大径雌ネジ貫通孔に調整セパレータ軸を挿し通して貫通して設置されてある。【００２７】セパレータ軸の実施については、案下セパレータ軸が、ブロック金具本体に固定された状態の儘で、案下セパレータ軸の一方雄ネジ（１３）にピーコン軸（２０）を取り付けて螺合して固定してから、接続する型枠パネルの一方に穴を開けて此の穴に、案下セパレータ軸端に固定されてあるピーコン軸を挿し込んで、ピーコン軸（２０）の雄ネジ（２３）に締付金具を捩じ込んで螺合して固定した処で、案下セパレータ軸が、案下状態になって強力に固定される。【００２８】  次は、調整セパレータ軸の逆方向の一方先雄ネジ（１３）にピーコン軸（２０）を取り付けて螺合して固定した処で、次は、調整セパレータ軸の一方端ピーコン軸の雄ネジ（２３）を、接続する型枠パネルの一方先の型枠パネルに穴を開けて此の穴にピーコン軸（２３）の雄ネジを挿し込んで、型枠パネルの裏側から、締付金具をピーコン軸の雄ネジに捩じ込んで螺合して固定。【００２９】  以上全てが此処まで関連されて個別に完全に固定された処で、最後に（１）六角形の大径雌ネジ貫通孔の一方入口から調整セパレータ軸の残り一方を逆方向に手で引っ張って、内部の調整セパレータ軸の垂水を水平に成る処まで引っ張った処で（６）締め込みボルト軸芯六角孔に（８）六角軸Ｌ型ハンドルを挿し込んで右回転して強く締め込んで固定する事で完全に固定される。【００３０】  以上実施例の状態で、調整セパレータ軸と小案下セパレータ軸の２通りのセパレータ軸で、セパレータ軸の接続固定工法が、新たに新規工法で、セパレータ軸を接続する時に、接続する度に、セパレータ軸の長さの寸法も測る必要が無くて、其れだけに測る作業の手間が省けて、僅かの時間でセパレータ軸が、型枠現場内で直接正確の長さに接続固定される処が、此のセパレータ軸の接続固定金具の固定方法が、この金具の特徴である。【００３１】親と小セパレータ軸の接続金具本体の製品には、必ず、小案下セパレータ軸が附属部品とされた固定されて活躍されるものである。
尚、型枠現場の状態に応じては数量により、案下セパレータ軸の長さを変更する事もできる。
【産業上の利用可能性】
【００３２】  本発明のセパレータ軸の接続金具本体は、セパレータ軸を接続する時に僅かの時間で正確に確実の長さに接続されて、尚、型枠現場の型枠パネルに直接に寸法を測る必要が無くして正確の長さに接続固定する事が出来る金具であり、優れた工法の接続金具である為に、セパレータ軸を接続する時間も僅かである為に、手間が省けて、本発明のセパレータ軸の接続固定金具本体を使ってセパレータを接続すると、仕事が早くて、先に進んで外の仕事も先に進める事ができる。
【符号の簡単な説明】
【００３３】（１）、六角形大径雌ネジの貫通孔長ナットボックス。
（２）、六角形小径雌ネジの貫通孔長ナットボックス。
（２Ｘ）、機械電溶部分
（３）大径雌ネジの貫通孔。
（４）、小径雌ネジの貫通孔。
（５）、縦雌ネジ孔。
（６）、締め込みボルト軸の雄ネジ。
（７）、六角軸ハンドルの挿し込み孔。
（８）、六角軸Ｌ型ハンドル。
（１０）、親セパレータ軸は、調整セパレータ軸である。
（１１）、小セパレータ軸は、案下セパレータ軸である。
（１１Ｘ）案下溶接セパレータ軸。
（１２）、セパレータ軸のネック溝。
（１３）、セパレータ軸の雄ネジ。
（２０）、ピーコン。
（２１）、ピーコン軸の雌ネジ孔。
（２２）、ピーコン軸の無ネジ部分。
（２３）、ピーコン軸の雌ネジ。
（１５）、セパレータ軸のストッパ
【図１】
2018178677.tif 000003
【図２】
2018178677.tif 000004
【図３】
2018178677.tif 000005
【図４】
2018178677.tif 000006
【図５】
2018178677.tif 000007
【図６】
2018178677.tif 000008
【図７】
2018178677.tif 000009
【図８】
2018178677.tif 000010
【図９】
2018178677.tif 000011
【図１０】
2018178677.tif 000012
【図１１】
2018178677.tif 000013
【図１２】
2018178677.tif 000014
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
セパレータ軸接続金具本体の構造は、下に小径雌ネジ貫通孔ボックス六角長ナットと、その上に大径雌ネジ貫通孔ボックス六角長ナットの側面と側面を上下に合わせて接着し機械電溶で固定、大径雌ネジボックスの内部は、雄ネジセパレータ軸を大径雌ネジボックス貫通孔の内部に挿し通した時に、ストレートで反対側のボックス孔から雄ネジ雄ネジセパレータ軸が飛び出る程度の大きさの大径雌ネジ六角長ナットボックスであり、大径雌ネジ六角長ナットは、長さ方向の中央部の上から縦下方向の横向き穴の中心部まで締付ボルトを挿し通す縦向き雌ネジ孔を設けて形成し、形成された雌ねじ孔に、締付ボルト軸の突先一部を螺合して設置した処で案下セパレータ軸の接続可能であり、セパレータ軸の接続に付いては、最初小径下孔に短い方のセパレータ軸を挿し通して螺合して固定した処で案下セパレータ軸の商品化であり、次は、調整セパレータ軸の一方を大径雌ネジ貫通孔ボックスの六角長ナットに挿し通して案下セパレータ軸の一方にピーコン軸を螺合して固定、調整セパレータ軸の一方にもピーコン軸を螺合して固定した処で、案下レパレータ軸の端部から調整セパレータ軸の端部の長さが調整セパレータ軸の一本だけを前後にスライドして所望の長さに位置された処で締付ボルトを右回転して全体が一気に締付固定するところを特徴とする処を削除する。
【請求項２】
本発明の構造は、大径雌ネジ貫通孔ボックスの六角長ナットであり、大径雌ネジ貫通孔ボックスの六角長ナットの中央部の上に、締付けボルト軸を挿し込む縦向き雌ネジ孔を上から縦下方向に大径貫通孔芯まで雌ネジ孔を設けて形成、形成された縦下方向の雌ねじ孔に締付雄ネジボルト軸の突先一部を縦下向き雌ねじ孔に螺合して設置、設置された雄ネジ軸の締付ボルトの突先軸元の一部に六角形の雌孔が形成されてあり、この六角形雌孔に、Ｌ型六角軸棒ハンドルの突先一部を雌孔に挿し込んで、調整セパレータ軸を締付固定する時はＬ型六角軸棒ハンドルを右回転、緩める時は左回転して行うＬ型六角軸棒ハンドルの工具であり、大径雌ネジ貫通孔ボックスの下場底面直に短い方のセパレータ軸が案下セパレータ軸として、セパレータ軸の一方端を大径雌ネジ貫通孔ボックスの下場底面に機械電溶で接着して固定した処で案下セパレータ軸が商品化の一方に変更されて、次は、セパレータ軸の接続方法であり、セパレータ軸の接続に付いては必ず、短いセパレータ軸には長いセパレータ軸が調整セパレータ軸として必要であり、本発明のセパレータ軸の接続固定に付いては、先ず、案下セパレータ軸の側面の大径雌ネジ貫通孔ボックスの雌ねじ孔に案下セパレータ軸の反対方向から、調整セパレータ軸の一方端を大径雌ネジ貫通孔内に挿し通して貫通して、セパレータ軸の長さの調整をするときは案下セパレータ軸と調整セパレータ軸の両端部にピーコン軸を螺合して設置して、調整セパレータ軸のピーコン軸を前後に移動して双方のピーコン軸の端部の間の間隔が所望の間隔の長さに位置された処で大径雌ネジ貫通孔ボックスの中央部上に設置されてある締付ボルトを右回転して調整セパレータ軸を締付固定固定するところを特徴とするところの案下セパレータ軸の締付固定金具。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
六角形貫通孔長ナットとアンカーセパレータ軸からなるセパレータ軸接続固定金具であって、
当該六角形貫通孔長ナットは、
貫通孔に円形、かつ、雌ネジを形成し、貫通孔の内径は施工の際に使用する、調整セパレータ軸端部の雄ネジを挿し込み、前後に自由に移動できる程度の大きさであり、
当該六角形貫通孔長ナットには、
貫通孔に挿し込まれた調整セパレータ軸の動きを止めるための締め込み雄ネジを挿し込むための雌ネジ孔を、当該六角形貫通孔長ナットの中央部の上面から縦下方向に六角形貫通孔長ナットの貫通孔まで貫通するように形成し、
前記雌ネジ孔に、前記締め込み雄ネジの突先一部を螺合して接続させ、
前記締め込み雄ネジは、ねじ頭部が、ねじ部と同じ大きさで全ねじの形状で、かつ、ねじ頭部に六角穴付きの止めねじを採用し、
当該締め込み雄ネジは、施工の際に当該六角形貫通孔長ナットに挿し込まれた、調整セパレータ軸を上面からねじ先端部分を押し付けて固定し、
当該アンカーセパレータ軸は、
一方端に雄ネジを設け、アンカーセパレータ軸の他方端の側面を電気溶接で当該六角形貫通孔長ナットの底面に直に接着固定した、
ことを特徴とするセパレータ軸接続固定金具。